(57)【要約】【課題】緑化パネルを人工地盤上の複数個並列状に敷設し、この複数個の緑化パネルの表面に花壇土や芝生土などの土壌を敷設し、給水設備等により定期的に給水することになり、この際、この緑化パネルは発泡プラスチック材からなるパネル板材により形成されているから、緑化パネルの軽量化を図ることができ、搬入、搬出の取り扱い、敷設施工性を向上することができると共に人工地盤に対する荷重負担を軽減することができる。【解決手段】人工地盤Ｇ上に複数個並列状に敷設され、表面に花壇土や芝生土などの土壌Ｄが敷設され、人工地盤の表面を緑化するための緑化パネル１であって、緑化パネルは発泡プラスチック材からなるパネル板材２により形成され、パネル板材の表面に導水路３を形成すると共にパネル板材の裏面に排水路４を形成し、導水路と排水路との間に連通路５を形成し、導水路に保水剤６を配置してなる。【選択図】図１
2008067657.tif 000002
【特許請求の範囲】
【請求項１】
建築物の屋上やベランダ等の人工地盤上に複数個並列状に敷設され、表面に花壇土や芝生土などの土壌が敷設され、該人工地盤の表面を緑化するための緑化パネルであって、上記緑化パネルは発泡プラスチック材からなるパネル板材により形成され、該パネル板材の表面に導水路を形成すると共に該パネル板材の裏面に排水路を形成し、該導水路と該排水路との間に連通路を形成し、該導水路に保水剤を配置してなることを特徴とする緑化パネル。
【請求項２】
上記保水剤は、水分の吸収により体積が膨張してゲル状の膨潤状態となり、水分の放出により収縮して粉粒状の固形状態となる高吸水性樹脂からなることを特徴とする請求項１記載の緑化パネル。
【請求項３】
上記パネル板材の少なくとも導水路の表面側及び上記連通路の表面側に透水シートを配置してなることを特徴とする請求項１又は２記載の緑化パネル。
【請求項４】
上記請求項１〜３のいずれか１項に記載の複数個の緑化パネルと、該複数個並列状に敷設される緑化パネルのパネル板材のうちの、隣り合って突き合わされた四個のパネル板材の裏面に同時に突刺可能な係止爪部が起立倒伏自在に形成された連結具とを備えてなることを特徴とする緑化パネル装置。
【請求項５】
上記請求項１〜３のいずれか１項に記載の緑化パネルを建築物の屋上やベランダ等の人工地盤上に複数個並列状に敷設し、該緑化パネルの表面に花壇土や芝生土などの土壌を敷設することを特徴とする緑化方法。
【請求項６】
上記建築物の屋上やベランダ等の人工地盤上に緑化領域を画定する見切材を配置し、該見切材により囲まれた該緑化領域内に上記請求項１〜３のいずれか１項に記載の緑化パネルを複数個並列状に敷設することを特徴とする請求項５記載の緑化方法。
【請求項７】
上記建築物の屋上やベランダ等の人工地盤上に防根シートを敷設し、該防根シート上に上記請求項１〜３のいずれか１項に記載の緑化パネルを複数個並列状に敷設することを特徴とする請求項５又は６記載の緑化方法。
【発明の詳細な説明】
【技術分野】
【０００１】
本発明は、マンション、病院、学校等の建築物の屋上やベランダ、テラス等の人工地盤の表面を緑化する際に用いられる緑化パネル及び緑化パネル装置並びに緑化方法に関するものである。
【背景技術】
【０００２】
この種の建築物の屋上やベランダ、テラス等のコンクリート、石材等からなる人工地盤の表面を緑化するための緑化パネルとして、粒状の炭化物とセメントとを混合して固化してなる緑化パネルが知られている。
【特許文献１】特開２００３−１８９７３７号公報
【発明の開示】
【発明が解決しようとする課題】
【０００３】
しかしながらこの緑化パネルの場合、主たる原料がセメントからなるパネル体であり、秀れた耐荷重性を発揮するものの、重量物となって、搬入、搬出の取り扱い、敷設施工性が低下すると共に人工地盤に対する荷重負担が過大となり、積雪地域における耐積雪荷重の大幅な低下を余儀なくされ、更なる、構築強度の強化が必要となることがあるという不都合を有している。
【課題を解決するための手段】
【０００４】
本発明はこれらの不都合を解決することを目的とするもので、本発明のうちで、請求項１記載の発明にあっては、建築物の屋上やベランダ等の人工地盤上に複数個並列状に敷設され、表面に花壇土や芝生土などの土壌が敷設され、該人工地盤の表面を緑化するための緑化パネルであって、上記緑化パネルは発泡プラスチック材からなるパネル板材により形成され、該パネル板材の表面に導水路を形成すると共に該パネル板材の裏面に排水路を形成し、該導水路と該排水路との間に連通路を形成し、該導水路に保水剤を配置してなることを特徴とする緑化パネルにある。
【０００５】
又、請求項２記載の発明は、上記保水剤は、水分の吸収により体積が膨張してゲル状の膨潤状態となり、水分の放出により収縮して粉粒状の固形状態となる高吸水性樹脂からなることを特徴とするものであり、又、請求項３記載の発明は、上記パネル板材の少なくとも導水路の表面側及び上記連通路の表面側に透水シートを配置してなることを特徴とするものである。
【０００６】
又、請求項４記載の装置の発明は、上記請求項１〜３のいずれか１項に記載の複数個の緑化パネルと、該複数個並列状に敷設される緑化パネルのパネル板材のうちの、隣り合って突き合わされた四個のパネル板材の裏面に同時に突刺可能な係止爪部が起立倒伏自在に形成された連結具とを備えてなることを特徴とする緑化パネル装置にある。
【０００７】
又、請求項５記載の方法の発明は、上記請求項１〜３のいずれか１項に記載の緑化パネルを建築物の屋上やベランダ等の人工地盤上に複数個並列状に敷設し、該緑化パネルの表面に花壇土や芝生土などの土壌を敷設することを特徴とする緑化方法にある。
【０００８】
又、請求項６記載の方法の発明は、上記建築物の屋上やベランダ等の人工地盤上に緑化領域を画定する見切材を配置し、該見切材により囲まれた該緑化領域内に上記請求項１〜３のいずれか１項に記載の緑化パネルを複数個並列状に敷設することを特徴とするものであり、又、請求項７記載の方法の発明は、上記建築物の屋上やベランダ等の人工地盤上に防根シートを敷設し、該防根シート上に上記請求項１〜３のいずれか１項に記載の緑化パネルを複数個並列状に敷設することを特徴とするものである。
【発明の効果】
【０００９】
本発明は上述の如く、請求項１又は請求項５記載の発明にあっては、緑化パネルを人工地盤上の複数個並列状に敷設し、この複数個の緑化パネルの表面に花壇土や芝生土などの土壌を敷設し、給水設備等により定期的に給水することになり、この際、この緑化パネルは発泡プラスチック材からなるパネル板材により形成されているから、緑化パネルの軽量化を図ることができ、搬入、搬出の取り扱い、敷設施工性を向上することができると共に人工地盤に対する荷重負担を軽減することができ、かつ、パネル板材の表面に導水路が形成され、パネル板材の裏面に排水路が形成され、導水路と排水路との間に連通路が形成され、導水路に保水剤を配置されているから、導水路、連通路及び排水路により排水経路が維持されると共に導水路に配置された保水剤により保水性、保肥性が良好となり、花木、芝生等の植物の栽培を良好に行うことができ、屋上等の緑化によりいわゆるヒートアイランド現象を抑制することができ、大気汚染等に対する環境改善を図ることもできる。
【００１０】
又、請求項２記載の発明にあっては、上記保水剤は、給水設備等からの給水による水分の吸収により体積が膨張してゲル状の膨潤状態となり、土壌の乾燥や排水による水分の放出により収縮して粉粒状の固形状態となる高吸水性樹脂からなるので、上記膨潤状態及び収縮状態の繰返機能により夏場でも通常の散水で適宜な保水性、土壌硬度、保肥性を維持確保することができ、花木、芝生等の植物の栽培を一層良好に行うことができ、又、請求項３記載の発明にあっては、上記パネル板材の少なくとも導水路の表面側及び上記連通路の表面側に透水シートを配置してなるから、運搬、敷設施工時等における導水路に配置された粉粒状態の保水剤の剥離落下を防ぐことができる。
【００１１】
又、請求項４記載の発明にあっては、上記複数個の緑化パネルと、該複数個並列状に敷設される緑化パネルのパネル板材のうちの、突き合わされた四個のパネル板材の裏面に同時に突刺可能な係止爪部が起立倒伏自在に形成された連結具をと備えてなるから、緑化パネルを人工地盤上の複数個並列状に敷設し、この複数個の緑化パネルの表面に花壇土や芝生土などの土壌を敷設し、給水設備等により定期的に給水することになり、この際、この緑化パネルは発泡プラスチック材からなるパネル板材により形成されているから、緑化パネルの軽量化を図ることができ、搬入、搬出の取り扱い、敷設施工性を向上することができると共に人工地盤に対する荷重負担を軽減することができ、かつ、パネル板材の表面に導水路が形成され、パネル板材の裏面に排水路が形成され、導水路と排水路との間に連通路が形成され、導水路に保水剤を配置されているから、導水路、連通路及び排水路により排水経路が維持されると共に導水路に配置された保水剤により保水性、保肥性が良好となり、花木、芝生等の植物の栽培を良好に行うことができ、屋上等の緑化によりいわゆるヒートアイランド現象を抑制することができ、大気汚染等に対する環境改善を図ることもでき、更に、連結具の係止爪部の突き刺しにより各緑化パネルを相互に容易に連結固定することができると共に不使用時には係止爪部を倒伏させておくことにより安全性や運搬性を向上することができる。
【００１２】
又、請求項６記載の発明にあっては、上記建築物の屋上やベランダ等の人工地盤上に緑化領域を画定する見切材を配置し、見切材により囲まれた緑化領域内に緑化パネルを複数個並列状に敷設するから、敷設施工作業性を高めることができ、又、請求項７記載の発明にあっては、建築物の屋上やベランダ等の人工地盤上に防根シートを敷設し、防根シート上に緑化パネルを複数個並列状に敷設するから、人工地盤内への植物の根の侵入を防ぐことができる。
【発明を実施するための最良の形態】
【００１３】
図１乃至図１０は本発明の実施の形態例を示し、１は緑化パネルであって、図１乃至図４の如く、発泡プラスチック材からなるパネル板材２により形成され、パネル板材２の表面に導水路３を格子状に形成すると共にパネル板材２の裏面に排水路４を格子状に形成し、この導水路３と排水路４との間に四個の連通路５を形成し、導水路３に保水剤６を配置して構成されている。
【００１４】
この場合、パネル板材２の材質として、発泡プラスチック保温材が用いられ、この発泡プラスチック保温材とは、ビーズ法ポリスチレンフォーム保温材、押出法ポリスチレンフォーム保温材、硬質ウレタンフォーム保温材、ポリエチレンフォーム保温材及びフェノールフォーム保温材の総称であり（ＪＩＳ−Ａ−９５１１）、例えば、ダウ化工株式会社製・商品名「スタイロフォーム」が用いられている。
【００１５】
又、この場合、上記パネル板材２は、縦、横が４５０ｍｍ、厚さ４０ｍｍ、重さ２３０ｇ程度の正方形板状に形成され、圧縮一軸強度は１０Ｎ／ｃｍ2程度のものが用いられ、このパネル板材２の表面に幅２０ｍｍ、深さ１２ｍｍの導水路３を複数本格子状に形成すると共にパネル板材２の裏面に幅２０ｍｍ、深さ１２ｍｍの排水路４を複数本格子状に形成し、この導水路３と排水路４との間に穴径１６ｍｍの四個の連通路５を形成している。
【００１６】
又、この場合、上記保水剤６は、図７の如く、水分の吸収により体積が膨張して導水路３内に充満する程度のゲル状の膨潤状態となり、図４、図８の如く、水分の放出により収縮して導水路３の底部に浅く付着する程度の粉粒状の固形状態となる高吸水性樹脂からなり、例えば、メビオール株式会社製・商品名「植物用保水剤・スカイジェル」が用いられ、１ｇで１００ｃｃの水を吸収可能な、所謂、吸水量１００倍のものが用いられている。
【００１７】
又、この場合、図４の如く、上記パネル板材２の四個の各連通路５の表面側に縦×横が２０ｍｍ×２０ｍｍ不織布からなる透水シート７を接着し、その後、格子状の複数本の導水路３の底面に粉粒状の保水剤６を糊剤により付着させ、そして、上記パネル板材２の表面全体に縦×横が５００ｍｍ×５００ｍｍ不織布からなる透水シート８を接着させ、これにより少なくとも導水路３の表面側及び上記連通路５の表面側に透水シート７・８を配置して構成している。
【００１８】
９は見切材であって、図７、図９の如く、建築物の屋上やベランダ等の人工地盤Ｇ上に緑化領域Ｒを画定する例えば、断面１００ｍｍ×１００ｍｍ程度の長尺状の木材やレンガからなり、この見切材９には排水用の横穴９ａや横溝が形成されている。
【００１９】
１０は連結具であって、金属や合成樹脂により形成され、この場合、図５の如く、縦×横が７０ｍｍの板厚０．２ｍｍ程度の正方形板状のステンレス製の板材１０ａにより形成され、この板材１０ａに上記複数個並列状に敷設される緑化パネル１のパネル板材２のうちの、突き合わされた四個のパネル板材２・２・２・２の裏面に同時に突刺可能な四個の係止爪部１０ｂ・・・がプレス加工により打ち抜かれて起立倒伏自在に形成されている。
【００２０】
そして、この緑化パネル１の施工にあたっては、先ず、図６、図７の如く、建築物の屋上やベランダ等の人工地盤Ｇ上に緑化領域Ｒを画定する木材やレンガからなる断面１００ｍｍ×１００ｍｍ程度の長尺状の見切材９を囲繞配置し、そして、緑化パネル１を人工地盤Ｇ上の上記緑化領域Ｒ内に複数個並列状に敷設し、連結具１０の係止爪部１０ｂを倒伏状態から起立させ、図８、図９の如く、上記複数個並列状に敷設される緑化パネル１のパネル板材２のうちの、突き合わされた四個のパネル板材２・２・２・２の裏面に連結具１０の係止爪部１０ｂを同時に突き刺し、この突き刺しにより各緑化パネル１を相互に連結固定し、そして、図７の如く、この複数個の緑化パネル１の表面に花壇土や芝生土などの土壌Ｄを１００ｍｍ〜２００ｍｍ程度の深さで敷設することになる。
【００２１】
この際、図７の如く、予め上記建築物の屋上やベランダ等の人工地盤Ｇ上に例えば０．２ｍｍ程度のビニールシート等からなる防根シートＦを敷設し、この防根シート上に緑化パネル１を複数個並列状に敷設することもあり、又、人工地盤Ｇ上に予め敷設された防水シートＫや防水層上に緑化パネル１を敷設したり、この防水シートＫ上に更に上記防根シートＦを敷設し、この防根シートＦ上に緑化パネル１を敷設することもある。
【００２２】
この実施の形態例は上記構成であるから、緑化パネル１を人工地盤Ｇ上の複数個並列状に敷設し、この複数個の緑化パネル１の表面に花壇土や芝生土などの土壌Ｄを敷設し、図示省略のスプリンクラー等の給水設備等により定期的に給水することになり、この際、この緑化パネル１は発泡プラスチック材からなるパネル板材２により形成されているから、緑化パネル１の軽量化を図ることができ、搬入、搬出の取り扱い、敷設施工性を向上することができると共に人工地盤Ｇに対する荷重負担を軽減することができ、かつ、パネル板材２の表面に導水路３が形成され、パネル板材２の裏面に排水路４が形成され、導水路３と排水路４との間に連通路５が形成され、導水路５に保水剤６を配置されているから、導水路３、連通路５及び排水路４により排水経路が維持されると共に導水路５に配置された保水剤６により保水性、保肥性が良好となり、花木、芝生等の植物の栽培を良好に行うことができ、屋上等の緑化によりいわゆるヒートアイランド現象を抑制することができ、大気汚染等に対する環境改善を図ることもできる。
【００２３】
又、この場合、上記保水剤６は、給水設備等からの給水による水分の吸収により体積が膨張してゲル状の膨潤状態となり、土壌の乾燥や排水による水分の放出により収縮して粉粒状の固形状態となる高吸水性樹脂からなるので、上記膨潤状態及び収縮状態の繰返し機能により夏場でも通常の散水で適宜な保水性、土壌硬度、保肥性を維持確保することができ、花木、芝生等の植物の栽培を一層良好に行うことができ、又、この場合、上記パネル板材２の少なくとも導水路３の表面側及び上記連通路５の表面側に透水シート７・８を配置してなるから、運搬、敷設施工時等における導水路３に配置された粉粒状態の保水剤６の剥離落下を防ぐことができる。
【００２４】
又、この場合、上記複数個並列状に敷設される緑化パネル１のパネル板材２のうちの、突き合わされた四個のパネル板材２・２・２・２の裏面に同時に突刺可能な係止爪部１０ｂが起立倒伏自在に形成された連結具１０を備えてなるから、図６、図９、図１０の如く、この四個の係止爪部１０ｂのそれぞれを緑化パネル１のパネル板材２のそれぞれに対する突き刺しにより各緑化パネル１を相互に容易に連結固定することができると共に不使用時には係止爪部１０ｂを倒伏させておくことにより安全性や運搬性を向上することができる。
【００２５】
又、この場合、上記建築物の屋上やベランダ等の人工地盤Ｇ上に緑化領域Ｒを画定する見切材９を配置し、見切材９により囲まれた緑化領域Ｒ内に緑化パネルを複数個並列状に敷設することにより、敷設施工作業性を高めることができ、又、この場合、建築物の屋上やベランダ等の人工地盤Ｇ上に防根シートＦを敷設し、防根シートＦ上に緑化パネルを複数個並列状に敷設することにより、人工地盤Ｇ内への植物の根の侵入を防ぐことができる。
【００２６】
尚、本発明は上記実施の形態例に限られるものではなく、緑化パネル１の大きさや形態、パネル板材２の材質、導水路３、排水路４、連通路５の大きさや形態、保水剤の種類等は適宜変更して設計施工されるものである。
【００２７】
以上、所期の目的を充分達成することができる。
【図面の簡単な説明】
【００２８】
【図１】本発明の緑化パネルの実施の形態例の斜視図である。
【図２】本発明の緑化パネルの実施の形態例の平面図である。
【図３】本発明の緑化パネルの実施の形態例の裏面図である。
【図４】本発明の緑化パネルの実施の形態例の断面図である。
【図５】本発明の連結具の実施の形態例の平面図である。
【図６】本発明の緑化方法の実施の形態例の平面図である。
【図７】本発明の緑化方法の実施の形態例の断面図である。
【図８】本発明の緑化方法の実施の形態例の部分斜視図である。
【図９】本発明の緑化方法の実施の形態例の部分平面図である。
【図１０】本発明の緑化方法の実施の形態例の部分断面図である。
【符号の説明】
【００２９】
Ｇ    人工地盤
Ｒ    緑化領域
Ｄ    土壌
Ｆ    防根シート
１    緑化パネル
２    パネル板材
３    導水路
４    排水路
５    連通路
６    保水剤
７    透水シート
８    透水シート
９    見切材
１０    連結具
１０ｂ    係止爪部
【図１】
2008067657.tif 000003
【図２】
2008067657.tif 000004
【図３】
2008067657.tif 000005
【図４】
2008067657.tif 000006
【図５】
2008067657.tif 000007
【図６】
2008067657.tif 000008
【図７】
2008067657.tif 000009
【図８】
2008067657.tif 000010
【図９】
2008067657.tif 000011
【図１０】
2008067657.tif 000012